(57)【特許請求の範囲】
【請求項１】
嫌気性処理を行うメタン発酵槽に投入する消泡剤を貯留する消泡剤貯留槽と、
前記メタン発酵槽内の気圧を検出する圧力センサーと、
前記圧力センサーによる測定値が所定値を超えると、前記消泡剤貯留槽内の消泡剤を前記メタン発酵槽に投入する投入手段と、を具備し、
前記投入手段は、前記圧力センサーによる測定値が所定値を超え、さらに前記メタン発酵槽で発生して外部に導出したバイオガスを一時貯留するガスホルダ内のバイオガスが所定量に達していない場合に、前記消泡剤貯留槽内の消泡剤を前記メタン発酵槽に投入することを特徴とする消泡剤投入装置。
【請求項２】
嫌気性処理を行うメタン発酵槽内の気圧を検出する気圧検出工程と、
前記メタン発酵槽内の気圧が所定値を超え、さらに前記メタン発酵槽で発生して外部に導出したバイオガスを一時貯留するガスホルダ内のバイオガスが所定量に達していない場合に、前記メタン発酵槽内に消泡剤を投入する消泡剤投入工程と、を具備することにより、前記メタン発酵槽内で発生する泡を消泡することを特徴とする消泡剤投入方法。
【発明の詳細な説明】
【技術分野】
【０００１】
本発明は、嫌気性処理を行うメタン発酵槽において、突発的に発生した泡を消泡するのに用いて好適な消泡剤投入装置及び消泡剤投入方法に関するものである。
【背景技術】
【０００２】
従来、有機性廃棄物あるいは廃水を処理する嫌気性のメタン発酵槽では、嫌気性処理によりバイオガス（メタンガス）を発生させ、そのガスを有効利用している。この種のメタン発酵槽では、通常消泡剤投入設備の常設を行わない。それは、嫌気性処理においては、発泡は恒常的に発生しないためである。
【０００３】
しかし、発泡の原因となる成分が含まれる有機性廃棄物あるいは廃水がメタン発酵槽に投入されたり、該成分がメタン発酵槽に存在している状態で何らかの環境の変化が起こることにより、突発的かつ短時間（数時間）の間に泡が発生・成長することがある。特に有機性廃棄物あるいは廃水に油脂類や蛋白質が多く含まれる場合、粘性の高い泡が発生し易い。この種の泡は破泡しにくく、泡が短時間（数時間）の内に急速に増加し、突発的な発泡となる。突発的な発泡が起こると、メタン発酵槽安全装置から泡が吹き出し、同時にバイオガスが外部に漏洩してしまう恐れがある。バイオガスが漏洩すると、エネルギーの有効利用に支障をきたし、また硫化水素等の臭気が拡散してしまう。
【０００４】
従って、このような場合には消泡剤を投入することとなるが、その方法としては、メタン発酵槽につながっている配管（例えば原料投入用配管等）に消泡剤を投入し、投入した消泡剤を、メタン発酵により高圧になっているメタン発酵槽内にポンプを用いて押し込む等の方法があった。
【先行技術文献】
【特許文献】
【０００５】
【特許文献１】特開平１１−２６２７９１号公報
【特許文献２】実開昭６１−１３９７０５号公報
【発明の概要】
【発明が解決しようとする課題】
【０００６】
しかしながら、上記消泡剤の投入方法は、作業員の人手によって行われるため、その作業が煩雑であった。また、作業員が定期的に設備を巡回している場合には、上記突発的発泡を確認し、消泡処置を取ることも可能であるが、巡回回数が少ない場合あるいは作業員がいなくなる夜間などは、突発的発泡への対応は困難であった。
【０００７】
本発明は上述の点に鑑みてなされたものでありその目的は、多種多様な有機性廃棄物や廃水を投入して嫌気性処理を行うメタン発酵槽において、突発的な泡が発生した場合に、発泡を検知し、速やかに消泡を行うことができる消泡剤投入装置及び消泡剤投入方法を提供することにある。
【課題を解決するための手段】
【００１１】
本発明は、嫌気性処理を行うメタン発酵槽に投入する消泡剤を貯留する消泡剤貯留槽と、前記メタン発酵槽内の気圧を検出する圧力センサーと、前記圧力センサーによる測定値が所定値を超えると、前記消泡剤貯留槽内の消泡剤を前記メタン発酵槽に投入する投入手段と、を具備し、前記投入手段は、前記圧力センサーによる測定値が所定値を超え、さらに前記メタン発酵槽で発生して外部に導出したバイオガスを一時貯留するガスホルダ内のバイオガスが所定量に達していない場合に、前記消泡剤貯留槽内の消泡剤を前記メタン発酵槽に投入することを特徴としている。
嫌気性処理を行う水槽であるため、突発的に発泡すると、ガスの排出口が泡によりブロックされることによりバイオガスが排出されなくなり、水槽内の圧力が上昇する。本発明ではこの圧力上昇に着目し、この圧力上昇を突発的な発泡として検知することとした。このように構成することで、容易に突発的な発泡を検知することができ、突発的に発生する泡を確実に速やかに消泡することができる。この消泡剤投入装置によれば、作業員の巡回回数が少ない場合、あるいは作業員がいなくなる夜間に、突発的な泡が発生しても、消泡剤投入が可能となる。
メタン発酵槽内の気圧が上昇する原因としては、上記突発的な発泡の他に、例えばガスホルダの下流側に接続したバイオガス設備の故障や、前記バイオガス設備で使用し切れなかった余剰ガスを燃焼する余剰ガス燃焼装置の故障等がある。このような場合は、ガスホルダ内のバイオガスが所定量以上（例えば満杯）になる。そこで、本発明では、ガスホルダ内のバイオガスが所定量に達した場合は突発的な発泡ではないと判断し、突発的な発泡の時のみに確実に消泡剤を投入できるようにした。
【００１５】
また本発明は、嫌気性処理を行うメタン発酵槽内の気圧を検出する気圧検出工程と、前記メタン発酵槽内の気圧が所定値を超え、さらに前記メタン発酵槽で発生して外部に導出したバイオガスを一時貯留するガスホルダ内のバイオガスが所定量に達していない場合に、前記メタン発酵槽内に消泡剤を投入する消泡剤投入工程と、を具備することにより、前記メタン発酵槽内で発生する泡を消泡することを特徴としている。
本発明によれば、突発的な発泡の時のみに確実に消泡剤を投入することができる。
【発明の効果】
【００１６】
本発明によれば、多種多様な有機性廃棄物や廃水を投入して嫌気性処理を行うメタン発酵槽において、突発的な泡が発生した場合でも、その発泡を検知し、速やかに消泡を行うことができる。
【図面の簡単な説明】
【００１７】
【図１】消泡剤投入装置１を含むメタン発酵設備１００の概略構成図である。
【図２】消泡剤投入装置１の拡大概略構成図である。
【図３】消泡剤投入装置１の運転工程フロー図である。
【図４】消泡剤投入装置１−２の拡大概略構成図である。
【図５】消泡剤投入装置１−３の拡大概略構成図である。
【発明を実施するための形態】
【００１８】
以下、本発明の実施形態を図面を参照して詳細に説明する。
図１は本発明の一実施形態にかかる消泡剤投入装置１を含むメタン発酵設備１００の概略構成図である。このメタン発酵設備１００は、例えば食品廃棄物等の有機性廃棄物をメタン発酵させることでバイオガスを回収すると共に、たい肥も生産する設備の一部に用いられるものである。同図に示すようにメタン発酵設備１００は、有機性廃棄物や廃水等の被処理液を収容するメタン発酵槽１０１と、メタン発酵槽１０１に前記被処理液を供給する供給用ポンプ１０３と、メタン発酵槽１０１内の被処理液を攪拌する攪拌機構１０５と、メタン発酵槽１０１内の被処理液に消泡剤を投入する消泡剤投入装置１と、メタン発酵槽１０１内で処理された後の処理液（消化液）を排水する排水用ポンプ１０７と、メタン発酵槽１０１内で発生したバイオガスを導出して一旦貯留するガスホルダ１０９と、ガスホルダ１０９に貯留されたバイオガスを利用するバイオガス発電機１１１及びバイオガスボイラ１１３等と、余ったバイオガスを燃焼する余剰ガス燃焼装置１１５等を具備して構成されている。
【００１９】
メタン発酵槽１０１は、収容した被処理液に対して嫌気性微生物によって嫌気性処理を行って、メタン発酵させて処理するものである。攪拌機構１０５は、攪拌翼１０５ａと、この攪拌翼１０５ａに取り付けた攪拌棒１０５ｂをモータ１０５ｃによって回転駆動するように構成されている。被処理液は、メタン発酵槽１０１内において、例えば３７℃で、２０日間、発酵される。
【００２０】
ガスホルダ１０９は、メタン発酵槽１０１で発生して外部に導出されたバイオガスを一旦貯留する装置である。ガスホルダ１０９には、内部の気圧を測定する圧力計や、内部のバイオガスの容量を検出する容量レベル計等が取り付けられている。バイオガス発電機１１１は、バイオガスをエネルギー源として発電を行う装置である。バイオガスボイラ１１３は、バイオガスをエネルギー源として温水や蒸気を得る装置である。なお、上記バイオガス発電機１１１やバイオガスボイラ１１３のような、バイオガスを利用する設備をバイオガス設備という。余剰ガス燃焼装置１１５は、非常時やメンテナンス等によりバイオガス設備にバイオガスを供給できない場合や、バイオガス設備でのバイオガスの使用量が少ないような場合に、バイオガスを燃焼して安全に放出するものである。余剰ガス燃焼装置１１５は、例えば、ガスホルダ１０９内のガス圧（又はガス容量）が所定の設定値以上になった場合に作動を開始し、ガスホルダ１０９内のガス圧（又はガス容量）が所定の設定値以下になった場合にバイオガスを遮断して消火・停止するように構成されている。
【００２１】
図２は、消泡剤投入装置１の拡大概略構成図である。同図に示すように消泡剤投入装置１は、メタン発酵槽１０１に投入する消泡剤を貯留する消泡剤貯留槽１０と、メタン発酵槽１０１内の気圧を検出する圧力センサー３０と、圧力センサー３０による測定値が所定値を超えると消泡剤貯留槽１０内の消泡剤をメタン発酵槽１０１に投入する投入手段５０とを具備して構成されている。
【００２２】
ここで投入手段５０は、前記消泡剤貯留槽１０から前記メタン発酵槽１０１に消泡剤を導く消泡剤投入管５１と、メタン発酵槽１０１内の気圧と消泡剤貯留槽１０内の気圧を均一にする均一管５３と、消泡剤投入管５１中に直列に取り付けられる自動弁５５及び元弁５７と、自動弁５５に並列に取り付けられるバイパス弁５９と、均一管５３中に取り付けられる切替弁６１と、均一管５３の上部に接続された配管に取り付けられるエア抜き弁６３と、前記消泡剤投入管５１のメタン発酵槽１０１内に突入する先端部分に取り付けられる散水ノズル６５と、前記自動弁５５の開閉制御を行う制御部６７と、を具備して構成されている。また圧力センサー３０をメタン発酵槽１０１に接続する圧力検出用配管３１の途中には、センサー用元弁３３が取り付けられている。
【００２３】
消泡剤貯留槽１０は、容器１１の上部に蓋１３を取り付けて構成されており、メタン発酵槽１０１の上部に設置されている。消泡剤貯留槽１０には、外部から内部の消泡剤の液面高さ（残量状態）を確認できるレベルゲージが設けられている。消泡剤は、いわゆる消泡剤として使用されるものの他、泡を消すものであれば、凝集剤、油脂等、他の各種材料で構成されたものであっても良い。この例では自己乳化タイプの消泡剤を用いている。
【００２４】
圧力センサー３０は例えば差圧式圧力計であり、圧力検出用配管３１を介してメタン発酵槽１０１内の気圧を測定してその測定値をデジタル信号（検出信号）として出力するものである。この圧力センサー３０の検出信号は制御部６７に送られ、自動弁５５の開閉制御に用いられる。発泡を検出する手段として圧力センサー３０を用いたのは、電極式レベル計では簡単に取外しができないため、メンテナンスが難しいこと、一方で発泡が圧力異常として検知できること等の理由からである。
【００２５】
消泡剤投入管５１は、消泡剤貯留槽１０の下部とメタン発酵槽１０１の上部を接続する配管であり、直線状で略垂直に設置され、消泡剤貯留槽１０内の消泡剤が抵抗なく一度に大量に移送できるようにしている。なお、消泡剤投入管５１は、必ずしも直線状で略垂直に設置されなくても良く、屈曲管等を用いても良い。均一管５３は、消泡剤貯留槽１０の上部（気相部分）とメタン発酵槽１０１の上部（気相部分）とを連結する配管であり、両者の気相部分の圧力を均一にするものである。
【００２６】
自動弁５５は、電動式、油圧式、空気駆動式等、手動以外の各種方法で弁の開閉を行う開閉弁であり、この例では電磁弁を用いている。自動弁５５は、制御部６７によって、前記圧力センサー３０による測定値が所定値を超えたことを検出すると開くように設定されている。一方、元弁５７、バイパス弁５９、切替弁６１、エア抜き弁６３、センサー用元弁３３は、何れもこの例では手動弁（例えばボール弁）を用いている。
【００２７】
散水ノズル６５には、多孔管や分散板等を用い、広い範囲（または集中したい部分）へ消泡剤を散布して消泡することを可能にしている。制御部６７はシーケンス制御やマイコン制御等の電気的制御を行うものであり、圧力センサー３０からの圧力検出信号や、ガスホルダ１０９の圧力計（又は容量レベル計等）からの圧力検出信号（又は容量検出信号等）を入力して、自動弁５５の開閉制御を行うものである。
【００２８】
次に、メタン発酵設備１００全体の動作を説明する。食品廃棄物等の有機性廃棄物を破砕、選別して得られた被処理液は、供給用ポンプ１０３によってメタン発酵槽１０１内に投入される。投入された被処理液は、メタン発酵槽１０１内で、攪拌機構１０５によって攪拌されながら所定温度で発酵され、バイオガスが生成されると同時にメタン発酵消化液が生成される。生成されたバイオガスは、ガスホルダ１０９に送られて貯留され、必要に応じてバイオガス発電機１１１やバイオガスボイラ１１３等の各種バイオガス設備で利用される。バイオガスが余剰となった場合は、余剰ガス燃焼装置１１５において燃焼されて大気に放出される。一方、消化液は、排水用ポンプ１０７によって後段の設備に送られて、たい肥が生成され、液体については水処理を行った後に下水道等に放流される。
【００２９】
ところで、上記メタン発酵槽１０１において被処理液を発酵している際、被処理液中に発泡し易い成分が含まれていると、上述したように、突発的かつ短時間（数時間）の間に泡が発生・成長することがある。この突発的な泡を消泡させるのに、上記消泡剤投入装置１が用いられる。以下、消泡剤投入装置１の動作について説明する。
【００３０】
まず、図２において、消泡剤投入装置１の使用準備手順を説明すると、常時閉となっているエア抜き弁６３とバイパス弁５９の閉を確認する。また常時開となっているセンサー用元弁３３の開を確認する。そして切替弁６１と元弁５７を閉とし、さらに自動弁５５を手動で閉にする。次に消泡剤貯留槽１０の蓋１３を開き、容器１１内に所定量の消泡剤を投入した後、前記蓋１３を閉じる。次に自動弁５５を自動に切り替えて作動状態とし、また圧力センサー３０の電源がオン状態であることを確認し、同時に設定圧力値（自動弁５５に開を指示する際の圧力値）とタイマ設定時間（自動弁５５の開を継続する時間）を確認する。そして元弁５７と切替弁６１を開けば、消泡剤投入装置１の使用準備が完了する。なお、切替弁６１を開くことで、メタン発酵槽１０１の気相部分の圧力と、消泡剤貯留槽１０の気相部分の圧力とは均一になっている。
【００３１】
次に、消泡剤投入装置１の運転工程を説明する。図３は消泡剤投入装置１の運転工程フロー図である。メタン発酵設備１００の運転を開始した後、突発的な泡が発生すると、この泡が例えばメタン発酵槽１０１とガスホルダ１０９を接続する配管の口を塞ぎ、メタン発酵槽１０１内の気相部の圧力が急激に上昇する。一方、圧力センサー３０は常時メタン発酵槽１０１内の気圧を測定している（気圧検出工程）。そして制御部６７に入力される圧力センサー３０の測定圧力値（測定値）が、予め設定した設定圧力値（所定値）を超えた場合（ステップ１）は、次に前記ガスホルダ１０９内に貯留されているバイオガスが所定量（例えば満杯）に達しているか否かを、ガスホルダ１０９の圧力計（又は容量レベル計等）によって検出する（ステップ２）。
【００３２】
そしてガスホルダ１０９内のバイオガスが所定量以上でない場合は、突発的な発泡が発生したと判断して、自動弁５５を開く（ステップ３）。これによって、消泡剤貯留槽１０内の消泡剤が、短時間で大量に、メタン発酵槽１０１内に投入され、散水ノズル６５によって拡散散布される。そして消泡剤が降りかけられた泡は消える（消泡剤投入工程）。なお、メタン発酵槽１０１内の被処理液は、攪拌機構１０５によって回転されているので、投入された消泡剤に対して被処理液の表面は回転しており、これによって被処理液の表面全体に消泡剤が降りかけられ、消泡される。自動弁５５の開状態は、少なくともタイマ設定時間は継続され、この間に消泡剤貯留槽１０内の全ての消泡剤がメタン発酵槽１０１内に投入される。
【００３３】
そして予め設定していたタイマ設定時間を経過したとき（ステップ４）、前記圧力センサー３０の測定圧力値が設定圧力値以下となっていれば（ステップ５）、泡が消えたと判断し、自動弁５５を閉じる（ステップ６）。
【００３４】
一方、ステップ４，５において、タイマ設定時間を経過しても（即ち消泡剤貯留槽１０内の消泡剤を全て投入しても）、前記圧力センサー３０の測定圧力値が設定圧力値以下に下がらない場合は、消泡剤による効果が無かったか、或いは別の理由でメタン発酵槽１０１内の圧力が上昇していることが考えられるので、制御部６７は異常発生の信号を出力し、例えばこのメタン発酵設備１００の図示しない制御盤に異常報知を行う（ステップ７）。このときは、自動弁５５を開状態のままにしておき、点検等が行われるまで、そのままの状態を保つ。
【００３５】
なお、ステップ２において、ガスホルダ１０９内のバイオガスが所定量以上であった場合は、これを原因としてメタン発酵槽１０１内の圧力が上昇しているので（即ち、泡は発生していないので）、自動弁５５を開くことなく、制御部６７は異常発生の信号を出力して、例えばこのメタン発酵設備１００の図示しない制御盤に異常報知を行う（ステップ８）。上記突発的な発泡以外に、メタン発酵槽１０１内の気圧が上昇する原因としては、例えばガスホルダ１０９の下流側に接続したバイオガス発電機１１１やバイオガスボイラ１１３等のバイオガス設備の故障や、前記バイオガス設備で使用し切れなかった余剰ガスを燃焼する余剰ガス燃焼装置１１５の故障等によって、バイオガス使用先がなくなったことによりガスホルダ１０９が満杯となり、そのためにメタン発酵槽１０１内の圧力が上昇する場合がある。そこで消泡剤投入装置１はそのような場合は、メタン発酵槽１０１内の測定圧力が設定圧力値を超えても、それが突発的な発泡ではないと判断し、突発的な発泡の時のみに確実に消泡剤を投入するようにし、同時にバイオガス設備や余剰ガス燃焼装置１１５に故障等が発生した恐れがあることを報知することとしている。
【００３６】
なお、消泡剤投入装置１の元弁５７とセンサー用元弁３３は、通常は開となっており、自動弁５５や圧力センサー３０が破損した時や取替えの時に消泡剤投入管５１や圧力検出用配管３１を手動で閉じる安全装置となっている。また元弁５７は、消泡剤貯留槽１０の点検のため、この消泡剤貯留槽１０をメタン発酵槽１０１から切り離したいような場合にもこれを閉じる。またバイパス弁５９は、通常は閉となっており、自動弁５５の故障やメンテナンスの際に、必要に応じて手動で開閉するものである。さらにエア抜き弁６３は、通常は閉となっており、故障やメンテナンス等の際に、必要に応じて開とするものである（例えば故障によりメタン発酵槽１０１内のバイオガスの圧力が異常に上昇し、且つ他にガスの逃がし場所が無いような場合に、これを開いてバイオガスの圧力を下げる場合等に使用する）。
【００３７】
以上説明した消泡剤投入装置１は、構造が簡単で組み立ても容易であり、またポンプ等の高価な部品も不要なので、装置の低廉化が図れる。また自動弁５５の開閉という簡素な構成で消泡剤の投入が行えるので、故障し難く、メンテナンスも容易で、例えば数年間に１度程度しか作動しないような場合でも確実に動作し、電気代や設備維持費も廉価にできる。
【００３８】
図４は、本発明の他の実施形態に係る消泡剤投入装置１−２の拡大概略構成図である。同図に示す消泡剤投入装置１−２において、前記図１〜図３に示す消泡剤投入装置１と同一又は相当部分には同一符号を付す（但し各符号には添え字「−２」を付す）。なお以下で説明する事項以外の事項については、前記図１〜図３に示す実施形態と同じである。
【００３９】
この消泡剤投入装置１−２において、前記消泡剤投入装置１と相違する点は、圧力センサーとして水封装置３０−２を用い、自動弁としてボールタップ５５−２を用いた点にある。ボールタップ５５−２のレバー先端のボール（浮玉）５５ａ−２は、水封装置３０−２内に導入されてその水面上に浮いており、一方レバー付け根の弁５５ｂ−２は、消泡剤投入管５１−２に取り付けられてこれを開閉する。即ち、水封装置３０−２内の水面の上下動によってボール５５ａ−２が上下動することで、弁５５ｂ−２が開閉するように構成されている。
【００４０】
そして、メタン発酵槽１０１−２内のバイオガスによる圧力上昇によって、水封装置３０−２内のボール５５ａ−２が浮いている部分の液面が上昇すると、ボール５５ａ−２が上昇し、予め設定しておいた設定水面を超えた際に（即ち水封装置３０−２による測定圧力値が所定値を超えた際に）、弁５５ｂ−２が開き、これによって、消泡剤貯留槽１０−２内の消泡剤が、短時間で大量に、メタン発酵槽１０１−２内に投入され、散水ノズル６５−２によって拡散散布され、泡を消泡する。消泡によってメタン発酵槽１０１−２内の圧力が下がると、水封装置３０−２内のボール５５ａ−２が浮いている部分の液面が下降してボール５５ａ−２が下降し、弁５５ｂ−２が閉じる。
【００４１】
なおこの消泡剤投入装置１−２の場合、消泡剤投入管５１−２を開とする条件に、ガスホルダ内のバイオガスが所定量に達していないという条件を加えていないが、この条件を加えたい場合は、例えば、ガスホルダ内のバイオガスが所定量に達した場合に閉となる自動弁などを、別途消泡剤投入管５１−２に取り付けるなどすれば良い。
【００４２】
図５は、本発明のさらに他の実施形態に係る消泡剤投入装置１−３の拡大概略構成図である。同図に示す消泡剤投入装置１−３において、前記図１〜図３に示す消泡剤投入装置１と同一又は相当部分には同一符号を付す（但し各符号には添え字「−３」を付す）。なお以下で説明する事項以外の事項については、前記図１〜図３に示す実施形態と同じである。
【００４３】
この消泡剤投入装置１−３において、前記消泡剤投入装置１と相違する点は、自動弁５５の代りに消泡剤移送用ポンプ６９−３を設置した点である。そして、制御部６７−３に入力された圧力センサー３０−３の測定圧力値が、予め設定した設定圧力値を超えた場合は、前記実施形態の場合と同様に、ガスホルダ内のバイオガスの量が所定量以上となっていないことを条件に、消泡剤移送用ポンプ６９−３を駆動し、これによって、消泡剤貯留槽１０−３内の消泡剤を、短時間で大量に、メタン発酵槽１０１−３内に投入し、散水ノズル６５−３によって拡散散布し、泡を消泡する。この消泡剤投入装置１−３の場合、ポンプ６９−３を用いているので、消泡剤貯留槽１０−３の設置位置を、メタン発酵槽１０−３の設置位置よりも下方とすることも容易に行える。
【００４４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記消泡剤投入装置においては、消泡剤貯留槽内の消泡剤を、簡単な構成でスムーズにメタン発酵槽内に導入させるために、メタン発酵槽内の気圧と、消泡剤貯留槽内の気圧とを均一にする均一管を設置したが、場合によっては均一管の設置を省略しても良い。この場合、例えば消泡剤貯留槽に圧縮空気を供給するコンプレッサ等を取り付けても良い。
【００４５】
また上記消泡剤投入装置においては、圧力センサーによる測定値が所定値を越え、さらにガスホルダ内のバイオガスの量が所定量以上となっていない場合に、消泡剤貯留槽内の消泡剤をメタン発酵槽に投入するように構成したが、場合によっては、ガスホルダ内のバイオガスの量が所定量以上になっていないという条件は、これを省略しても良い。従ってこの場合は例えば、圧力センサーによる測定値が所定値を越えたことのみを条件にして自動弁を開き、消泡剤貯留槽内の消泡剤をメタン発酵槽に投入する。なおこの場合、消泡剤投入管に、別途開閉弁を設け、ガスホルダ内のバイオガスの量が所定量以上となった場合はこの開閉弁を閉じるように構成しても良い。
【００４６】
また上記各実施形態では、本発明を、食品廃棄物等の有機性廃棄物からバイオガスを発酵させることでバイオガスとたい肥を生産するバイオプラントとして用いる例を示したが、本発明は、他の目的で使用されるメタン発酵槽においても同様に適用することが可能である。要は、嫌気性処理を行うメタン発酵槽に消泡剤を投入する消泡剤投入装置であれば、どのような用途に用いる場合であっても本発明を適用することができる。
【符号の説明】
【００４７】
１  消泡剤投入装置
１０  消泡剤貯留槽
１１  容器
１３  蓋
３０  圧力センサー
３１  圧力検出用配管
３３  センサー用元弁
５０  投入手段
５１  消泡剤投入管（投入手段）
５３  均一管（投入手段）
５５  自動弁（投入手段）
５７  元弁（投入手段）
５９  バイパス弁（投入手段）
６１  切替弁（投入手段）
６３  エア抜き弁（投入手段）
６５  散水ノズル（投入手段）
６７  制御部（投入手段）
１００  メタン発酵設備
１０１  メタン発酵槽
１０３  供給用ポンプ
１０５  攪拌機構
１０５ａ  攪拌翼
１０５ｂ  攪拌棒
１０５ｃ  モータ
１０７  排水用ポンプ
１０９  ガスホルダ
１１１  バイオガス発電機（バイオガス設備）
１１３  バイオガスボイラ（バイオガス設備）
１１５  余剰ガス燃焼装置
１−２  消泡剤投入装置
３０−２  水封装置（圧力センサー）
５５−２  自動弁（ボールタップ、投入手段）
５５ａ−２ボール（浮玉）
５５ｂ−２  弁
１−３  消泡剤投入装置
６９−３  消泡剤移送用ポンプ（投入手段）
【図１】
0006378957.tif 000002
【図２】
0006378957.tif 000003
【図３】
0006378957.tif 000004
【図４】
0006378957.tif 000005
【図５】
0006378957.tif 000006